【手続補正書】
【提出日】平成19年8月30日(2007.8.30)
【手続補正１】
【補正対象書類名】明細書
【補正対象項目名】特許請求の範囲
【補正方法】変更
【補正の内容】
【特許請求の範囲】
【請求項１】  １００〜３５００のデニールと、０．７×１０3kg／ｍ3（０．７ｇ／ｃｃ）未満の密度と、及び３５％未満の強度減衰とを有するポリテトラフルオロエチレン（ＰＴＦＥ）繊維（２０；３０）を含んでなることを特徴とするデンタルフロス。
【請求項２】  前記密度が０．６×１０3kg／ｍ3（０．６ｇ／ｃｃ）未満である請求項１記載のデンタルフロス。
【請求項３】  前記密度が０．５×１０3kg／ｍ3（０．５ｇ／ｃｃ）未満である請求項１記載のデンタルフロス。
【請求項４】  前記密度が０．４×１０3kg／ｍ3（０．４ｇ／ｃｃ）未満である請求項１記載のデンタルフロス。
【請求項５】  前記密度が０．３×１０3kg／ｍ3（０．３ｇ／ｃｃ）未満である請求項１記載のデンタルフロス。
【請求項６】  前記密度が０．２×１０3kg／ｍ3（０．２ｇ／ｃｃ）未満である請求項１記載のデンタルフロス。
【請求項７】  前記密度が０．６×１０3kg／ｍ3（０．６ｇ／ｃｃ）である請求項１記載のデンタルフロス。
【請求項８】  前記繊維（２０；３０）が延伸膨張されたＰＴＦＥを含んでなる請求項１記載のデンタルフロス。
【請求項９】  前記繊維（２０；３０）が０．６８kg（１．５ lbs）よりも大きい強度を有する請求項１記載のデンタルフロス。
【請求項１０】  前記繊維（２０；３０）が０．９１kg（２．０ lbs）よりも大きい強度を有する請求項１記載のデンタルフロス。
【請求項１１】  前記繊維（２０；３０）が１．１３kg（２．５ lbs）よりも大きい強度を有する請求項１記載のデンタルフロス。
【請求項１２】  前記繊維（２０；３０）が１．３６kg（３．０ lbs）よりも大きい強度を有する請求項１記載のデンタルフロス。
【請求項１３】  前記繊維（２０；３０）が２．２６kg（５．０ lbs）よりも大きい強度を有する請求項１記載のデンタルフロス。
【請求項１４】  前記繊維（２０；３０）が３．４０kg（７．５ lbs）よりも大きい強度を有する請求項１記載のデンタルフロス。
【請求項１５】  前記繊維（２０；３０）が４．５３kg（１０ lbs）よりも大きい強度を有する請求項１記載のデンタルフロス。
【請求項１６】  前記繊維（２０；３０）が中空である請求項１記載のデンタルフロス。
【請求項１７】  前記繊維（２０；３０）が実質的に楕円形の横断面を有する請求項１記載のデンタルフロス。
【請求項１８】  前記繊維（３０）が実質的に円形の横断面を有する請求項１記載のデンタルフロス。
【請求項１９】  前記繊維（２０）が実質的に方形の横断面を有する請求項１記載のデンタルフロス。
【請求項２０】  前記繊維（２０；３０）が耐摩擦性を有する請求項１記載のデンタルフロス。
【請求項２１】  前記繊維が１デニールあたり、１．２×１０-3kg（２．８×１０-3 lbs）よりも大きい平均摩擦破断強度を有する請求項１記載のデンタルフロス。
【請求項２２】  前記繊維（２０；３０）が１デニールあたり、１．３６×１０-3kg（３．０×１０-3 lbs）よりも大きい平均摩擦破断強度を有する請求項１記載のデンタルフロス。
【請求項２３】  前記繊維（２０；３０）が１デニールあたり、１．８×１０-3kg（４．０×１０-3 lbs）よりも大きい平均摩擦破断強度を有する請求項１記載のデンタルフロス。
【請求項２４】  前記繊維（２０；３０）が１デニールあたり、２．３×１０-3kg（５．０×１０-3 lbs）よりも大きい平均摩擦破断強度を有する請求項１記載のデンタルフロス。
【請求項２５】  前記繊維（２０；３０）が１デニールあたり、２．７×１０-3kg（６．０×１０-3 lbs）よりも大きい平均摩擦破断強度を有する請求項１記載のデンタルフロス。
【請求項２６】  前記繊維（２０；３０）が１０％未満の強度減衰を有する請求項１記載のデンタルフロス。
【請求項２７】  前記繊維（２０；３０）が５％未満の強度減衰を有する請求項１記載のデンタルフロス。
【請求項２８】  複数の前記繊維（２０；３０）が存在する請求項１記載のデンタルフロス。
【請求項２９】  前記繊維（２０；３０）が一以上の充填材を含有する請求項１記載のデンタルフロス。
【請求項３０】  前記繊維（２０；３０）が、相互に接続された通路と経路を画定する延伸膨張ＰＴＦＥマトリックスでできた構造を有し、前記一以上の充填材が前記通路および経路内に配置されている請求項２９記載のデンタルフロス。
【請求項３１】  前記繊維（２０；３０）が、相互に接続された通路と経路を画定する延伸膨張ＰＴＦＥマトリックスでできた構造を有し、前記一以上の充填材が前記延伸膨張ＰＴＦＥマトリックスに配置されている請求項２９記載のデンタルフロス。
【請求項３２】  前記繊維（２０；３０）が中心孔を有し、前記一以上の充填材が前記中心孔内に配置されている請求項２９記載のデンタルフロス。
【請求項３３】  前記一以上の充填材が把持性を向上させる材料を含む請求項２９記載のデンタルフロス。
【請求項３４】  前記一以上の充填材が生体作用成分を含む請求項２９記載のデンタルフロス。
【請求項３５】  前記一以上の充填材が、着色剤および香料からなる群から選択されている請求項２９記載のデンタルフロス。
【請求項３６】  生体作用成分、薬物、抗生物質、抗菌剤、抗バクテリア剤、抗真菌剤、磨歯剤、再石化剤、ホワイトニング剤、免疫学的薬剤、抗歯石剤、抗う食剤、抗歯垢剤、リソチーム、抗炎症剤、止血剤、鎮痛薬、把持性を向上させる材料、着色剤、香料、凝固カスケードを開始する血液因子、およびこれらの混合物から選択されている一以上の充填材を有する、請求項３０に記載のデンタルフロス。
【請求項３７】  アミノカプロン酸、トラネキサム酸、アドレナリン、ミョウバン、ノルアドレナリン、鉄塩およびアルギン酸カルシウム、ナトリウムモノフルオロホスフェート、フッ化第一スズ、クロルヘキシジン、ヘキサクロロフェン、セチルピリジニウムクロリド、ベンゼトニウムクロリド、ウレアーゼ、炭酸カルシウム、炭酸マグネシウム、オルトリン酸、リン酸一ナトリウム、リン酸一カリウム、リン酸二ナトリウム、リン酸二カリウム、ヘミナトリウムホスフェート、ベンゾトニウムクロリド、アセチルトリメチルアンモニウムブロミド、サンギナリア、トリクロサン、テトラサイクリン、セチルピリジニウムクロリド、ベンゾトニウムクロリド、ジメチコンの溶融エマルジョン、およびこれらの混合物から選択されている一以上の充填材を有する、請求項３０に記載のデンタルフロス。
【請求項３８】  一以上の充填材が、フッ化ナトリウム、シリカ及びピロリン酸四ナトリウムである、請求項３０に記載のデンタルフロス。
【請求項３９】  さらに、前記繊維（２０；３０）に被さる少なくとも１つのコーティングを有する請求項１記載のデンタルフロス。
【請求項４０】  請求項１記載の少なくとも１つの繊維（２０；３０）と、少なくとも１つの他の繊維とを含むデンタルフロスであって、前記１つの繊維（２０；３０）と前記少なくとも１つの他の繊維とが撚り合わされるか、またはバインダーによって互いに接合されていることを特徴とするデンタルフロス。
【請求項４１】  前記デンタルフロスが、１．３０６μｍ（１．３０６マイクロメートル）の平均荒さと、１．５７０μｍ（１．５７０マイクロメートル）の二乗平均平方根荒さと、６．３１６μｍ（６．３１６マイクロメートル）の山・谷間隔とを備えた表面を有する請求項１記載のデンタルフロス。
【請求項４２】  請求項１記載のデンタルフロスを含む、フロス装置。
【請求項４３】  １００〜３５００のデニールと、０．７×１０3kg／ｍ3（０．７ｇ／ｃｃ）未満の密度と、０．６８kg（１．５ lbs）よりも大きい強度と、及び３５％未満の強度減衰とを有する延伸膨張ＰＴＦＥを含む縫い糸。
【請求項４４】  １００〜３５００のデニールと、０．７×１０3kg／ｍ3（０．７ｇ／ｃｃ）未満の密度と、０．６８kg（１．５ lbs）よりも大きい強度と、及び３５％未満の強度減衰とを有する延伸膨張ＰＴＦＥを含むベアリング。
【請求項４５】  １００〜３５００のデニールと、０．７×１０3kg／ｍ3（０．７ｇ／ｃｃ）未満の密度と、０．６８kg（１．５ lbs）よりも大きい強度と、及び３５％未満の強度減衰とを有する延伸膨張ＰＴＦＥを含むブッシュ。
【請求項４６】  １００〜３５００のデニールと、０．７×１０3kg／ｍ3（０．７ｇ／ｃｃ）未満の密度と、０．６８kg（１．５ lbs）よりも大きい強度と、及び３５％未満の強度減衰とを有する延伸膨張ＰＴＦＥを含む製織用繊維。